(57)【要約】      （修正有）【課題】従来のスプリング材などで製作された、不安定なものから確実で、且つ、取扱操作が簡単に出来、安全基準を満たす。【解決手段】蒸気噴出しノズルの頭部４に先端から順に連結する縦溝Ａ１、横溝Ｂ、縦溝Ａ２、Ｂの２箇所に凹み５を加工、おもりの内側穴部に、上記溝を通過する左右対称に中心に向かう２本の突起ピン２を設け、このおもり１とノズル３の組合せにより問題点を解決した。【選択図】図１
0003132647.tif 000002
【実用新案登録請求の範囲】
【請求項１】
調圧装置の蒸気を噴出しノズル（３）の頭部（４）に、おもり（１）の２本の突起ピン（２）をガイドするお互いに連結する縦溝（Ａ１）、横溝（Ｂ）、縦溝（Ａ２）の構造を有する。
【請求項２】
各々２本の縦溝（Ａ１）及び縦溝（Ａ２）は、横溝（Ｂ）をはさんで各々連結して設けられている。
【請求項３】
横溝（Ｂ）の縦溝（Ａ２）の真上の溝幅は、縦溝（Ａ２）が無い部分より広く、その長さは、縦溝（Ａ２）の幅より長く設けられている。
【請求項４】
おもり（１）の突起ピン（２）は、中央穴部の外周の１８０度ずれた箇所に中心部に向かって突出している。
【考案の詳細な説明】
【考案の詳細な説明】
【技術分野】
【０００１】  本考案は、おもり式圧力なべの調圧装置のおもり及び蒸気噴出しノズルに関するものである。
【背景技術】
【０００２】  従来、この種の装置としては、一般的におもりの中央穴部に、伸縮可能な不連続円形又は平行な２本の径が１ｍｍ以下のスプリング材を加工したものをおもりの穴の外周に溝を設けて納め、これにより、ふたを逆さにしても、おもりが落ちないようにしてある。又まれに、ノズルの頭部の一部に、雄ネジを、おもりの中央穴部の一部に、これに該当する雌ネジを加工し、この組合せにより、安全基準を満たしているものもある。（ふたを逆さにした時、おもりが外れ落ちないことは、圧力なべの安全基準の一つである。）
【考案が解決しようとする課題】
【０００３】  従来の技術で前述のスプリング材を加工する場合、寸法精度が出しにくく、おもりが入れにくく、おもりをノズルから外す時、スプリング材も一緒に外れる事があった。又ネジ式は操作が簡単でない等の問題がある。
【０００４】  本考案は、従来の問題点を解決すべく、形状加工上、精度的に問題のある細いスプリング材の加工物を使用することなく、しかも確実におもりを装填および外す事が出来、ふた（１０）を逆さにした場合でも、おもり（１）が容易に落ちない構造を提案しようとするものである。
【課題を解決するための手段】
【０００５】上記目的を達成するために、本考案装置は、おもり（１）の内部に２本のピン（２）を設け、このピン（２）をガイドする縦溝（Ａ１）、横溝（Ｂ）、縦溝（Ａ２）を頭部（４）に設けた蒸気噴出しノズル（３）から構成された調圧装置である。
【０００６】  先ず、縦溝（Ａ１）、横溝（Ｂ）、縦溝（Ａ２）と連結された溝の中をおもり（１）の２本のピン（２）が縦溝（Ａ２）を通過する事で、おもり（１）が完全にノズル（３）に装填され、圧力なべとしての機能を達成できる体制になる。次いで、ふた（１０）を逆さにした場合でも、ピン（２）が縦溝（Ａ２）を通過して横溝（Ｂ）に入っても、図４、図５に示すように、縦溝（Ａ２）の幅より長い横溝（Ｂ）の凹み部分（５）に、おもり（１）のピン（２）がはまり、横溝（Ｂ）の円周方向におもり（１）が回転するすることが起こらず、縦溝（Ａ）を通過して、おもり（１）が落下する恐れが無いので、安全基準を満足する構造を提案しているものである。
【考案を実施するための最良の形態】
【０００７】  図１において、調圧装置の蒸気噴出しノズル（３）は、例えば、ステンレス棒材を用いて、切削加工により形状が作られる。ノズル（３）は大きく分けて、頭部（４）と導管部とふた（１０）に固定される部分からなっている。導管部は、頭部（４）より小さめに加工されており、おもり（１）のピン（２）が縦溝（Ｂ）を通過した時、おもり（１）が調圧の作動をできるように設計されている。【０００８】  図２、図３において、先ずノズル（３）の頭部（４）に、４ｍｍ程度の縦溝（Ａ１）を先端から４〜３ｍｍの所まで深さ２ｍｍ程度で、円周上１８０度ずれた２箇所に加工し、これに連結する４ｍｍ程度の幅の横溝（Ｂ）を加工する。次いで、Ｂに連結する縦溝（Ａ２）を縦溝（Ａ１）と同じ寸法で、（Ａ１）と各々９０度ずれた位置に加工する。又、図４において、縦溝（Ａ２）の真上の横溝（Ｂ）の縦溝（Ａ１）と連結する稜線に、長さ５ｍｍ程度、深さ２ｍｍ程度の凹み部分（５）が２箇所加工されている。【０００９】  図６において、おもり（１）にはノズル（３）の頭部（４）の溝を通過する径３．５ｍｍ程度の２本のピン（２）が内部中心に向かって、１８０度ずれた位置に設けられている。【００１０】  先ず、おもり（１）のピン（２）を縦溝（Ａ）に合わせて横溝（Ｂ）まで押し込み（図５）次いで、おもり（１）を９０度回転させると、（１）のピン（２）が縦溝（Ｂ）を通過してさらに落ち込み、おもり（１）のニードル（６）がノズル（３）の頭部（４）先端の蒸気噴出し口（７）に入り、調圧装置が完全にセットされた状態（図１）になる。
【考案の効果】
【００１１】本考案は上述の通り構成されているので、次に記載する効果を奏する。
【００１２】請求項１の３つの溝により装填が確実で、しかも安全基準を満足する。
【００１３】請求項２の９０度ずれた４箇所に縦溝があるので、操作が簡単で早く出来る。
【００１４】請求項３の横溝の凹み部分（５）により、ふた（１０）が逆さになった場合でも、おもりのピン（２）は、縦溝（Ｂ）を外れても、この（５）にひっかかり、連続して縦溝（Ａ１）を通過して外れ落ちる事が起こらない（図５）事と、（５）の長さが、縦溝（Ｂ）の幅より長いため、ピン（２）は確実に、この（５）に落ち込む事が出来る。
【００１５】請求項４の２本のピン（２）は、耐久力に優れ、１８０度お互いにずれた箇所に設けられているので、バランスが取れている。
【図面の簡単な説明】
【図１】ふた（１０）に取り付けた調圧装置の断面図である。
【図２】蒸気噴出しノズル（３）の頭部（４）の縦溝（Ａ１）の断面図である。
【図３】蒸気噴出しノズル（３）の頭部（４）の縦溝（Ａ２）の断面図である。
【図４】縦溝（Ａ２）の真上の横溝（Ｂ）の凹みを正面から見た図である。
【図５】ふた（１０）を逆さにした時のピン（２）が横溝（Ｂ）の凹み（５）にはまった状態図である。
【図６】おもり（１）にピン（２）を取り付けた、おもりの組立断面図である。
【図７】蒸気噴出しノズル（３）におもりを途中まで装填した断面図である。
【符号の説明】
Ａ（Ａ１、Ａ２）    縦溝
Ｂ                  横溝
１        おもり
２        おもりの２箇所の突起ピン
３        蒸気噴出しノズル
４        蒸気噴出しノズルの頭部
５        横溝に設けられた凹み部分
６        おもりのニードル
７        蒸気吹き出し口
８        ナット
９        フィルター
１０        圧力なべのふた
【図１】
0003132647.tif 000003
【図２】
0003132647.tif 000004
【図３】
0003132647.tif 000005
【図４】
0003132647.tif 000006
【図５】
0003132647.tif 000007
【図６】
0003132647.tif 000008
【図７】
0003132647.tif 000009
【手続補正書】
【提出日】平成17年11月18日(2005.11.18)
【手続補正１】
【補正対象書類名】明細書
【補正の内容】
0003132647.tif 000010
0003132647.tif 000011
0003132647.tif 000012
0003132647.tif 000013
0003132647.tif 000014
0003132647.tif 000015
0003132647.tif 000016
0003132647.tif 000017
0003132647.tif 000018
【手続補正書】
【提出日】平成18年2月13日(2006.2.13)
【手続補正１】
【補正対象書類名】実用新案登録請求の範囲
【補正対象項目名】全文
【補正方法】変更
【補正の内容】
【実用新案登録請求の範囲】
【請求項１】
家庭用圧力なべの調圧装置において、おもり式調圧機構のおもりと、ノズルの関係を、着脱が容易で、しかも、ふたを逆さにした時、おもりが簡単に落ちない安全基準を満足させる機構を、ノズル（３）の頭部（４）の形状と、おもりに設けたピン（２）によって実施した。
【請求項２】
請求項１のノズルの頭部（４）に２本の縦溝（Ａ１）、（Ａ２）は、横溝（Ｂ）をはさんで各々９０度ずれて横溝（Ｂ）に連結して設けられている。
【請求項３】
請求項２のノズルの頭部の溝の形状関係において、縦溝（Ａ１）、（Ａ２）の真上の横溝（Ｂ）の溝幅は、縦溝が無い部分より広く、その長さは、縦溝の幅より長く設けられている。
【請求項４】
請求項１のおもりに設けられたピン（２）は、おもりの中央穴部の外周に１８０度ずれて２本中心部に向かって突出している。
【手続補正２】
【補正対象書類名】明細書
【補正対象項目名】全文
【補正方法】変更
【補正の内容】
【考案の詳細な説明】
【技術分野】
【０００１】本考案は、おもり式圧力なべの調圧装置のおもり及び蒸気噴出しノズル関するものである。
【背景技術】
【０００２】従来、この種の装置としては一般的におもりの中央穴部に、伸縮可能な不連続円形又は平行な２本の径が１ｍｍ以下のスプリング材を加工したものを、おもりの穴の外周に溝を設けて納め、これにより、ふたを逆さにしても、おもりが落ちないようにしてある。又まれに、ノズルの頭部の一部に、雄ネジを、おもりの中央穴部の一部に、これに該当する雌ネジを加工し、この組合せにより、安全基準を満たしているものもある。（ふたを逆さにした時、おもりが外れ落ちないことが圧力なべの安全基準の一つである）
【考案が解決しようとする課題】
【０００３】従来の技術で前述のスプリング材を加工する場合、寸法精度が出しにくく、おもりも入れにくく、おもりをノズルから外す時、スプリング材も一緒に外れる事があった。又ネジ式は操作が簡単でない等の問題があった。
本考案は、従来の問題点を解決すべく、形状加工上、精度的に問題のある細いスプリング材の加工物を使用することなく、しかも確実におもりを装填および外す事が出来、ふた（１０）を逆さにした場合でも、おもり（１）が容易に落ちない構造を提案しようとするものである。
【課題を解決するための手段】
【０００４】上記目的を達成するために、本考案装置は、おもり（１）の内部に２本のピン（２）を設け、このピンをガイドする縦溝（Ａ１）、横溝（Ｂ）、縦溝（Ａ２）を頭部（４）に設けた蒸気噴出しノズル（３）から構成された調圧装置である。先ず、縦溝（Ａ１）、横溝（Ｂ）、縦溝（Ａ２）と連結された溝の中をおもり（１）の二本のピン（２）が縦溝（Ａ２）を通過する事で、おもりが完全にノズルに装填され、圧力なべとしての機能を達成できる体制になる。次いで、ふた（１０）を逆さにした場合でも、ピンが縦溝（Ａ２）通過して横溝に入っても入っても、図４、図５に示すように、縦溝（Ａ２）の幅より長い横溝（Ｂ）の凹み部分（５）に、おもりのピンがはまり、横溝（Ｂ）の円周方向におもりが回転する事が起こらず、縦溝（Ａ１）を通過して、おもりが落下する恐れが無いので安全基準を満足する構造を提案しているものである。
【考案を実施するための最良の形態】
【０００５】図１において、調圧装置の蒸気噴出しノズル（３）は、例えば、ステンレス棒材を用いて切削加工により作られる。ノズルは大きく分けて、頭部（４）と導管部と、ふた（１０）に固定される部分からなっている。導管部は頭部より小さめに加工されており、おもりのピン（２）が縦溝（Ｂ）を通過した時おもりが調圧の作動を出来るように設計されている。
図２、図３において、先ずノズル（３）の頭部（４）に、４ｍｍ程度の縦溝（Ａ１）を先端から４〜３ｍｍの所まで深さ２ｍｍ程度で、円周上１８０度ずれた２箇所に加工し、これに連結する４ｍｍ程度の幅の横溝（Ｂ）を加工する。
次いで、横溝に連結する縦溝（Ａ２）を縦溝（あ１）と同じ寸法で、（Ａ１）と各各９０度ずれた位置に加工する。又図４において、縦溝（Ａ２）の真上の横溝（Ｂ）の縦溝（Ａ１）と連結する稜線に、長さ５ｍｍ程度、深さ２ｍｍ程度の凹み部分（５）が２箇所加工されている。
図６において、おもり（１）にはノズル（３）の頭部（４）の溝を通過する径３．５ｍｍ程度の２本のピン（２）が内部中心に向かって、１８０度ずれた位置に設けられている。
先ず、おもり（１）のピン（２）を縦溝（Ａ）に合わせて横溝（Ｂ）まで押し込み（図５）、次いで、おもり（１）を９０度回転させると、（１）のピン（２）が縦溝（Ｂ）を通過してさらに落ち込み、おもり（１）のニードル（６）がノズル（３）の頭部（４）先端の蒸気噴出し口（７）に入り、調圧装置が完全にセットされた状態（図１）になる。
【考案の効果】
【０００６】本考案は上述の通り構成されているので、次に記載する効果を奏する。
請求項１の縦溝（Ａ１）、横溝（Ｂ）、縦溝（Ａ２）の構成により装填が容易である。しかも圧力なべの安全基準を満足している。
請求項２の９０度ずれた４箇所に縦溝があるので、操作が簡単で早く出来る。
請求項３の横溝の凹み部分（５）により、ふた（１０）が逆さになった場合でも、おもりのピン（２）は、縦溝（Ｂ）を外れても、この（５）にひっかかり、連続して縦溝（Ａ１）を通過して外れ落ちる事が起こらない（図５）事と、（５）の長さが、縦溝（Ｂ）の幅より長いため、ピン（２）は確実に、この（５）に落ち込む事が出来る。
請求項４の２本のピン（２）は、耐久力に優れ、１８０度お互いにずれた箇所に設けられているので、バランスが取れている。
【図面の簡単な説明】
【０００７】
【図１】ふた（１０）に取り付けた調圧装置の断面図である。
【図２】蒸気噴出しノズル（３）の頭部（４）の縦溝（Ａ１）の断面図である。
【図３】蒸気噴出しノズル（３）の頭部（４）の縦溝（Ａ２）の断面図である。
【図４】縦溝（Ａ２）の真上の横溝（Ｂ）の凹みを正面から見た図である。
【図５】ふた（１０）を逆さにした時のピン（２）が横溝（Ｂ）の凹み（５）にはまった状態図である。
【図６】おもり（１）にピン（２）を取り付けた、おもりの組立断面図である。
【図７】蒸気噴出しノズル（３）におもりを途中まで装填した断面図である。
【符号の説明】
【０００８】  Ａ（Ａ１、Ａ２）    縦溝
Ｂ                  横溝
１        おもり
２        おもりの２箇所の突起ピン
３        蒸気噴出しノズル
４        蒸気噴出しノズルの頭部
５        横溝に設けられた凹み部分
６        おもりのニードル
７        蒸気吹き出し口
８        ナット
９        フィルター
１０        圧力なべのふた
【手続補正３】
【補正対象書類名】図面
【補正対象項目名】全図
【補正方法】変更
【補正の内容】
【図１】
0003132647.tif 000019
【図２】
0003132647.tif 000020
【図３】
0003132647.tif 000021
【図４】
0003132647.tif 000022
【図５】
0003132647.tif 000023
【図６】
0003132647.tif 000024
【図７】
0003132647.tif 000025
【手続補正書】
【提出日】平成18年6月15日(2006.6.15)
【手続補正１】
【補正対象書類名】実用新案登録請求の範囲
【補正対象項目名】全文
【補正方法】変更
【補正の内容】
【実用新案登録請求の範囲】
【請求項１】
家庭用圧力なべの調圧装置において、おもり式調圧機構のおもりと、ノズルの関係は、着脱が容易で、しかも、ふたを逆さにした時、おもりが簡単に落ちない安全基準を法規で規制している。このおもり式調圧機構のおもりと、ノズルの関係は、ノズルの先端におもりが被さるように乗り、おもりの内側に設けられた伸縮するスナップリング等と、ノズルの先端に設けられた形状の関係により、ふたを逆さにしても簡単におもりが落ちないように設計されておる。今回このノズルとおもりの関係を（図１）にあるように、おもりの内部に、伸縮するスナップリングでなく、２本のピンを、ノズルの先端には、間に横溝を、上下２ヶ所に縦溝を設けた事を特徴とするおもり式調圧機構を持った家庭用圧力なべである。
【請求項２】
請求項１のノズルの頭部（４）に２本の縦溝（Ａ１）、（Ａ２）は、横溝（Ｂ）をはさんで各々９０度ずれて横溝（Ｂ）に連結して設けられているノズルを持った調圧機構を有する家庭用圧力なべである。（図２）
【請求項３】
請求項２のノズルの頭部の溝の形状関係において、縦溝（Ａ１）、（Ａ２）の真上の横溝（Ｂ）の溝幅は、縦溝が無い部分より広く、その長さは、縦溝の幅より長く設けられている事を特徴とするノズル頭部を持った調圧機構を有する家庭用圧力なべである。（図３，４）
【請求項４】
請求項１のおもり内部に設けられたピン（２）は、おもりの中央穴部の外周に１８０度ずれて２本中心部に向かって突出している事を特徴とするおもりを持った調圧機構を有する家庭用圧力なべである。（図５，６）
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
家庭用圧力なべの調圧装置において、ふたに固定されたノズルからおもりを容易に着脱でき、しかも、ふたを逆さにした時でも、おもりが簡単に落ちないように、おもりとノズルの関係を、従来のおもりの内側に設けられた伸縮するスナップリング等と、ノズルの先端頭部の形状の関係による構造から、おもりの内部に、伸縮するスナップリングでなく、２本のピンを、おもりがかぶさるノズルの先端頭部の中央部分の外周上に横溝を、その上下に各々横溝に連結する２箇所づつの縦溝を設けた事を特徴とするおもり式調圧機構を持った家庭用圧力なべである。
【請求項２】
請求項１のノズルの先端頭部は、最先端から外周上１８０度ずれた２箇所に、先端頭部の中央部分の外周上に設けられた横溝に連結するように、さらにこの縦溝から９０度ずれて、この横溝に連結して１８０度ずれた２箇所に、下方に縦溝が設けられ、即ち横溝を挟んで上下に各々２本の縦溝があり、縦溝は互いに９０度ずれている事を特徴とするノズル頭部を持ったおもり式調圧機構を有する家庭用圧力なべである。
【請求項３】
請求項２のノズルの先端頭部の下の縦溝に連結する横溝の形状は、縦溝が無い部分より上側に広く、その長さは、縦溝の幅より長く設けられている事を特徴とするノズル頭部を持った調圧機構を有する家庭用圧力なべである。
【請求項４】
請求項１のおもり内部に設けられた２本のピンは、おもりの中央穴部の外周に１８０度ずれて中心部に向かって突出している事を特徴とするおもりを持った調圧機構を有する家庭用圧力なべである。
【手続補正書】
【提出日】平成18年11月17日(2006.11.17)
【手続補正１】
【補正対象書類名】実用新案登録請求の範囲
【補正対象項目名】全文
【補正方法】変更
【補正の内容】
【実用新案登録請求の範囲】
【請求項１】
家庭用圧力なべの調圧装置において、ふたに固定されたノズルからおもりを容易に着脱でき、しかも、ふたを逆さにした時でも、おもりが簡単に落ちないように、おもりとノズルの関係を、おもりの内側に設けられた伸縮するスナップリング等と、ノズルの先端頭部の形状の関係による構造から、おもりの内部に、伸縮するスナップリングでなく、２本のピンを、おもりがかぶさるノズルの先端頭部の中央部分の外周上に横溝を、その上下に各々横溝に連結する２箇所づつの縦溝を設けた事を特徴とするおもり式調圧機構を持った家庭用圧力なべ。
【請求項２】
請求項１のノズルの先端頭部は、最先端から外周上１８０度ずれた２箇所に、先端頭部の中央部分の外周上に設けられた横溝に連結するように、さらにこの縦溝から９０度ずれて、この横溝に連結して１８０度ずれた２箇所に、下方に縦溝が設けられ、即ち横溝を挟んで上下に各々２本の縦溝があり、縦溝は互いに９０度ずれている事を特徴とするノズル頭部を持ったおもり式調圧機構を有する家庭用圧力なべ。
【請求項３】
請求項２のノズルの先端頭部の下の縦溝に連結する横溝の形状は、縦溝が無い部分より上側に広く、その長さは、縦溝の幅より長く設けられている事を特徴とするノズル頭部を持った調圧機構を有する家庭用圧力なべ。
【請求項４】
請求項１のおもり内部に設けられた２本のピンは、おもりの中央穴部の外周に１８０度ずれて中心部に向かって突出している事を特徴とするおもりを持った調圧機構を有する家庭用圧力なべ。
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
家庭用圧力なべの調圧装置において、ふたに固定されたノズルからおもりを容易に着脱でき、しかも、ふたを逆さにした時でも、おもりが簡単に落ちないようにする構造を、ノズルの先端頭部に設けられた溝と、おもりの内側に設けられた２本のピンの組合せによって解決した事を特徴とするおもり式調圧機構を持った家庭用圧力なべ。
【請求項２】
請求項１のノズルの先端頭部は、最先端から外周上１８０度ずれた２箇所に、縦溝を先端頭部の中央部分の外周上に設けられた横溝に連結するように、さらにこの縦溝から９０度ずれて、この横溝に連結して１８０度ずれた２箇所に、下方に縦溝が設けられ、即ち横溝を挟んで上下に各々２本の縦溝があり、縦溝は互いに９０度ずれている事を特徴とするノズル頭部を持ったおもり式調圧機構を有する家庭用圧力なべ。
【請求項３】
請求項２のノズルの先端頭部の下の縦溝に連結する横溝の幅は、縦溝が無い部分より上側に広く、その長さは、縦溝の幅より長く設けられている事を特徴とするノズル頭部を持った調圧機構を有する家庭用圧力なべ。
【請求項４】
請求項１のおもり内部に設けられた２本のピンは、おもりの中央穴部の外周に１８０度ずれて中心部に向かって突出している事を特徴とするおもりを持った調圧機構を有する家庭用圧力なべ。